(57)【要約】【課題】  シールジョイント６を確実に固定することができ、外壁目地の屋内側で収まりよく配置することができる脱落防止用クリップ１及びこの脱落防止用クリップ１を用いた外壁目地の防水構造２を提供する。【解決手段】  脱落防止用クリップ１は、外壁パネル５間の目地に圧入されて、当該目地内に保持されるシールジョイント６の脱落防止用クリップ１であって、前記シールジョイント６の屋内側に形成された凸条６３に外嵌する凹部を備えた挟持部１１と、該挟持部１１から外壁パネル５の屋内側に向かって前記目地幅よりも広がって延びる抜け防止腕部１２と、該抜け防止腕部１２の中間部から前記目地内に向かって延びて、その先端が前記外壁パネル５の小口面５１に当接する姿勢制御腕部１３と、を備える。【選択図】図１
2011174324.tif 000002
【特許請求の範囲】
【請求項１】
外壁パネル間の目地に圧入されて、当該目地内に保持されるシールジョイントの脱落防止用クリップであって、
前記シールジョイントの屋内側に形成された凸条に外嵌する凹部を備えた挟持部と、
該挟持部から外壁パネルの屋内側に向かって前記目地幅よりも広がって延びる抜け防止腕部と、
該抜け防止腕部から前記目地内に向かって延びて、その先端が前記外壁パネルの小口面に当接する姿勢制御腕部と、
を備えることを特徴とする脱落防止用クリップ。
【請求項２】
前記抜け防止腕部及び／又は前記姿勢制御椀部の基端にクビレが形成されることを特徴とする請求項１に記載の脱落防止用クリップ。
【請求項３】
弾性を有する樹脂により形成されることを特徴とする請求項１又は請求項２に記載の脱落防止用クリップ。
【請求項４】
前記挟持部の凹部の先端から底部までの長さが６ｍｍ以下であることを特徴とする請求項１から請求項３のいずれかに記載の脱落防止用クリップ。
【請求項５】
屋内側にやや膨らんで突出する凸条が形成され、外壁パネル間の目地に圧入されるシールジョイントと、
該シールジョイントの凸条に外嵌する凹部を備えた挟持部、該挟持部から外壁パネルの屋内側に向かって前記目地幅よりも広がって延びる抜け防止腕部、及び該抜け防止腕部から前記目地内に向かって延びて、その先端が前記外壁パネルの小口面に当接する姿勢制御腕部、を具備し、前記シールジョイントに所定間隔で複数固定される脱落防止用クリップと、
を備えることを特徴とする外壁目地の防水構造。
【請求項６】
前記抜け防止腕部及び／又は前記姿勢制御椀部の基端にクビレが形成されることを特徴とする請求項５に記載の外壁目地の防水構造。
【請求項７】
前記脱落防止用クリップは弾性を有する樹脂により形成されることを特徴とする請求項５又は請求項６に記載の外壁目地の防水構造。
【請求項８】
前記挟持部はその凹部の先端から底部までの長さが６ｍｍ以下であることを特徴とする請求項５から請求項７のいずれかに記載の外壁目地の防水構造。
【発明の詳細な説明】
【技術分野】
【０００１】
本発明は、外壁パネル間の目地から屋内側に水が侵入すること防ぐシールジョイントが目地から脱落することを抑制する脱落防止用クリップ及びこの脱落防止用クリップを用いた外壁目地の防水構造に関する。
【背景技術】
【０００２】
従来より、複数の互いに隣接する外壁パネル間に形成される目地から建物内部に風雨などが侵入することを防ぎ、且つ、建物の外観を良好に保つために、乾式のシールジョイントが用いられる。シールジョイントは、例えばポリ塩化ビニル等の水密性及び弾性を有する材料で形成され、目地の幅よりもやや幅広の長手形状であって、屋外側から目地に圧入して固定するものである。
【０００３】
このようなシールジョイントにおいては、経年劣化などによりシールジョイントの一部が目地から剥がれることがある。そしてこのような状態で降雨などがあると、シールジョイントが剥がれた部分から目地内に雨水が侵入することになり、外壁目地の防水性能が確保できない。
【０００４】
そこで、外壁目地からシールジョイントが脱落することを防止するために、目地材の保持具が用いられている。この目地材の保持具としては、例えば、保持具本体と係止片とからなる弾性金属板からなる保持具を目地材へ嵌着して、この保持具の弾性によって目地内で保持し、また、係止片を目地内奥部コーナーへ係止させる目地材の保持具が提案されている（例えば、特許文献１）。
【０００５】
これによると、バックアップ材を用いることなく目地材を保持でき、且つ、取付け後の目地材の浮き上がりを防止できる。
【先行技術文献】
【特許文献】
【０００６】
【特許文献１】特開平５−１４８９１６号公報
【発明の概要】
【発明が解決しようとする課題】
【０００７】
しかし、外壁パネル間の目地奥には、外壁パネルを固定する外壁パネル固定用金具が固定されているので、外壁パネルの屋内側の空間は極めて限られるため、シールジョイントの屋内側に２次防水部材を設ける場合、目地材の保持具との取り合いが難しい。また、目地間をシールしているシールジョイントのシールリップに保持具を嵌着しているため、保持具の端面では保持具の厚み分の隙間が発生しシール性を悪くしている。
【０００８】
そこで、本発明は、シールジョイントを確実に固定することができ、外壁目地の屋内側で収まりよく配置することができる脱落防止用クリップ及びこの脱落防止用クリップを用いた外壁目地の防水構造を提供することを目的とする。
【課題を解決するための手段】
【０００９】
請求項１に記載の脱落防止用クリップは、外壁パネル間の目地に圧入されて、当該目地内に保持されるシールジョイントの脱落防止用クリップであって、前記シールジョイントの屋内側に形成された凸条に外嵌する凹部を備えた挟持部と、該挟持部から外壁パネルの屋内側に向かって前記目地幅よりも広がって延びる抜け防止腕部と、該抜け防止腕部から前記目地内に向かって延びて、その先端が前記外壁パネルの小口面に当接する姿勢制御腕部と、を備えることを特徴としている。
【００１０】
請求項２に記載の脱落防止用クリップは、前記抜け防止腕部及び／又は前記姿勢制御椀部の基端にクビレが形成されることを特徴としている。
【００１１】
請求項３に記載の脱落防止用クリップは、弾性を有する樹脂により形成されることを特徴としている。
【００１２】
請求項４に記載の脱落防止用クリップは、前記挟持部の凹部の先端から底部までの
が６ｍｍ以下であることを特徴としている。
【００１３】
請求項５に記載の外壁目地の防水構造は、屋内側にやや膨らんで突出する凸条が形成され、外壁パネル間の目地に圧入されるシールジョイントと、該シールジョイントの凸条に外嵌する凹部を備えた挟持部、該挟持部から外壁パネルの屋内側に向かって前記目地幅よりも広がって延びる抜け防止腕部、及び該抜け防止腕部から前記目地内に向かって延びて、その先端が前記外壁パネルの小口面に当接する姿勢制御腕部、を具備し、前記シールジョイントに所定間隔で複数固定される脱落防止用クリップと、を備えることを特徴としている。
【００１４】
請求項６に記載の外壁目地の防水構造は、前記抜け防止腕部及び／又は前記姿勢制御椀部の基端にクビレが形成されることを特徴としている。
【００１５】
請求項７に記載の外壁目地の防水構造は、前記脱落防止用クリップは弾性を有する樹脂により形成されることを特徴としている。
【００１６】
請求項８に記載の外壁目地の防水構造は、前記挟持部はその凹部の先端から底部までの長さが６ｍｍ以下であることを特徴としている。
【発明の効果】
【００１７】
請求項１に記載の脱落防止用クリップによると、挟持部がシールジョイントの屋内側に形成された凸条に外嵌して固定され、姿勢制御腕部が外壁パネルの相対向する小口面に当接して脱落防止用クリップの姿勢を制御しつつ、外壁パネル間の目地奥に目地幅よりも広がって延びる抜け防止腕部がシールジョイントの脱落を確実に防止することができる。
【００１８】
請求項２に記載の脱落防止用クリップによると、外壁目地幅が施工精度の範囲内で変化した場合でも抜け防止腕部及び／又は姿勢制御椀部の基端に形成されたクビレにより、抜け防止腕部及び／又は姿勢制御椀部が柔軟に曲がって脱落防止用クリップの姿勢制御機能を維持することができる。また、目地に圧入する際にクビレが屈曲点となるので、抜け防止腕部及び／又は姿勢制御腕部が想定外の形態に変形することを防ぐことができる。
【００１９】
請求項３に記載の脱落防止用クリップによると、弾性を有する樹脂により形成されるので、金属により形成される場合のように錆びる虞がない。
【００２０】
請求項４に記載の脱落防止用クリップによると、前記挟持部が凹部の先端から底部までの長さが６ｍｍ以下であるので、この脱落防止用クリップの材料使用量を少なくすることができるとともに、外壁パネル固定用金具やシールジョイントの屋内側に配置される２次防水部材との間での干渉を抑えることができる。
【００２１】
請求項５に記載の外壁目地の防水構造によると、挟持部がシールジョイントの屋内側に形成された凸条に外嵌して固定され、姿勢制御腕部が外壁パネルの相対向する小口面に当接して脱落防止用クリップの姿勢を制御しつつ、外壁パネル間の目地奥に目地幅よりも広がって延びる抜け防止腕部がシールジョイントの脱落を確実に防止することができる。
【００２２】
請求項６に記載の外壁目地の防水構造によると、外壁目地幅が施工精度の範囲内で変化した場合でも抜け防止腕部及び／又は姿勢制御椀部の基端に形成されたクビレにより、抜け防止腕部及び／又は姿勢制御椀部が柔軟に曲がって脱落防止用クリップを正しい姿勢に保持することができ、シールジョイントが脱落することをより確実に抑制できる。
【００２３】
請求項７に記載の外壁目地の防水構造によると、脱落防止用クリップが、弾性を有する樹脂により形成されるので、金属のように錆びる虞がなく、確実にシールジョイントの脱落を防止することができる。
【００２４】
請求項８に記載の外壁目地の防水構造によると、前記挟持部が先端から底部までの長さが６ｍｍ以下であるので、この脱落防止用クリップの材料使用量を少なくすることができるとともに、外壁パネル固定用金具やシールジョイントの屋内側に配置される２次防水部材との間での干渉を抑えることができる。
【図面の簡単な説明】
【００２５】
【図１】外壁目地の防水構造の構成を示す一部省略断面図。
【図２】シールジョイントの構成を示す断面図。
【図３】脱落防止用クリップの断面構成を示す側面図。
【図４】脱落防止用クリップの構成を示す斜視図。
【図５】シールジョイントの凸条に脱落防止用クリップの挟持部を外嵌する状態を説明ずる断面図。
【図６】シールジョイントの凸条に脱落防止用クリップの挟持部を外嵌した状態を説明ずる断面図。
【図７】シールジョイントの凸条に脱落防止用クリップの挟持部を外嵌する状態を説明する斜視図。
【図８】脱落防止用クリップを固定した状態のシールジョイントを外壁パネル間の縦目地に圧入する状態を示す一部省略断面図。
【発明を実施するための形態】
【００２６】
以下、脱落防止用クリップ１及びこれを用いた外壁目地の防水構造２の最良の実施形態について、各図を参照しつつ説明する。脱落防止用クリップ１及び外壁目地の防水構造２は、主に住宅の外壁に用いられる。この住宅の外壁は、図１に示すように、住宅の構造躯体を構成する軸組３に固定される外壁パネル固定用金具４に外壁パネル５を固定して形成する。外壁パネル５間の縦目地には、シールジョイント６が圧入され、この縦目地から雨水などが侵入することを防いでいる。そして例えば経年劣化などにより、縦目地からシールジョイント６が抜け落ちることを防止するためにこのシールジョイント６には脱落防止用クリップ１が複数箇所に取り付けられており、外壁目地の防水構造２を構成している。
【００２７】
シールジョイント６は、例えばポリプロピレンとゴムを混合したポリオレフィン系の弾性樹脂により形成されており、図２に示すように、縦目地に圧入したときに屋外側となる蓋部６１と、この蓋部６１から屋内側に向かって縦目地の目地幅よりもやや幅広に形成されるシール部６２と、シール部６２の中央から屋内側に突出して、膨らんで形成されている矩形状の凸条６３と、を具備している。シール部６２は、側方に向かって複数の襞６４が形成されるとともに、内部に複数の空洞６６が管状に設けられており、シールジョイント６を外壁パネル５間の縦目地に圧入したときに弾性変形しつつ外壁パネル５の小口面５１に密着して、縦目地をシールできるように構成されている。またシールジョイント６の中央の内部には、金属板状でたとえば略Ｔ字形状の形状保持部６５が収納されており、シールジョイント６の形状を保持して確実に縦目地をシールできるようにしている。この形状保持部６５は、蓋部６１と並行な面を保有するため、目地への圧入を容易にしており、更に凸条６３まで達しているため後で説明する脱落防止用クリップ１との嵌合をその剛性ゆえ容易にしている。なお、形状保持部６５の形状はＴ字形状に限定されるものではなく、例えばＩ字形状に形成されたものであってもよい。
【００２８】
このシールジョイント６の凸条６３に固定される脱落防止用クリップ１は、例えばポリエチレンやポリプロピレンなどの樹脂により形成されており、図１、図３、及び図４に示すように、シールジョイント６の凸条６３に外嵌する開口部１５が設けられ、先端から底部１６までの長さγが５ｍｍ程度の凹部を備えた断面矩形状の挟持部１１と、この挟持部１１の長さ方向の中間位置に挟持部１１の開口部１５と対向する底部１６から目地への圧入の際には外壁パネル５の屋内側に向かって外壁パネル５間の縦目地の目地幅よりも広がって延びる抜け防止腕部１２と、この抜け防止腕部１２の開口部１５側の側面に目地への圧入後に屋外側となる方向に向かって伸びて形成されており、その先端が外壁パネル５の小口面５１に当接する姿勢制御腕部１３と、備えている。脱落防止用クリップ１の全長は約４０ｍｍから５ｍｍであり、抜け防止腕部１２は、脱落防止用クリップ１の全長の５分の１から２分の１程度に亘って形成されている。図４では脱落防止用クリップ１は全長約２０ｍｍで、その４分の１の長さの抜け防止腕部１２を中間位置に設けている。なお、脱落防止用クリップ１を構成する樹脂は、ポリエチレンやポリプロピレンに限定されるものではなく、所定の強度及び弾性を確保できる種々の樹脂又は金属を用いることができる。より好ましくは樹脂である。
【００２９】
脱落防止用クリップ１の抜け防止腕部１２は、目地幅よりも広く形成されており、その基端の屋外側面が凹んでクビレ１２ａを形成している。これにより、脱落防止用クリップ１は、目地への圧入時に屋外方向にクビレ１２ａを基点として、柔軟に屈曲することができる。また、姿勢制御腕部１３は、目地幅よりも広く形成されており、その基端の抜け防止腕部１２側が凹んでクビレ１３ａを形成している。これにより、姿勢制御腕部１３は、目地圧入時に屋外方向にクビレ１３ａを基点として、柔軟に屈曲することができる。なお、図３では姿勢制御腕部１３は抜け防止腕部１２の中間部から伸びて形成されているが、これに限定されず、姿勢制御腕部１３は抜け防止腕部１２の側面から突出していればよい。また、抜け防止腕部１２の先端部分の位置は、挟持部の先端部分の位置と屋外方向に向かって同程度突き出すものであってもよい。なお、クビレ１２ａ、１３ａには他の部分よりもその厚みが薄くなっている形態、及び表面に凹部が形成されている形態を含む。
【００３０】
また、図１及び図３に示すように、抜け防止腕部１２の先端間の距離をα、姿勢制御腕部１３の先端間の幅を距離をβ、目地Ｌとすると、α、β、及びＬの関係は以下のとおりとなる。
α＞Ｌ、且つ、β＞Ｌ
【００３１】
外壁目地の防水構造２を施工する際には、まず、図５、図６、及び図７に示すように、シールジョイント６の凸条６３に所定間隔を開けて複数の脱落防止用クリップ１の挟持部１１を外嵌する。このとき凸条６３は膨らんで形成されており、挟持部１１の開口部１５側の先端には互いに内側に向けて突き出したリップ１４が形成されており、断面略Ｃ字形状を呈している。このリップ１４が凸条６３の膨らみに係止されて、脱落防止用クリップ１とシールジョイント６とが固定される。
【００３２】
そして、図８に示すように、脱落防止用クリップ１を固定した状態でシールジョイント６を外壁パネル５間の縦目地に挿入する。シールジョイント６の蓋部６１が縦目地を塞ぐ位置までシールジョイント６を挿入すると、図１に示すように、脱落防止用クリップ１の姿勢制御腕部１３が外壁パネル５の相対向する小口面５１に当接して脱落防止用クリップ１の姿勢を制御しつつ、外壁パネル５間の目地奥に目地幅よりも広がって延びる抜け防止腕部１２がシールジョイント６の脱落を確実に防止する。
【００３３】
このように本実施形態の脱落防止用クリップ１及び外壁目地の防水構造２は、弾性を有しており、しかも姿勢制御腕部１３及び抜け防止腕部１２の基端にクビレ１２ａ，１３ａが形成されているので、外壁パネル５の施工精度（２ｍｍ程度）の範囲で目地幅が変更されても抜け防止腕部１２及び姿勢制御椀部が柔軟に曲がって脱落防止用クリップ１の姿勢制御機能を維持することができる。
【００３４】
また、脱落防止用クリップ１が樹脂製であることで、金属製の場合のように錆びる虞がない。さらにこの脱落防止用クリップ１は、挟持部１１がその先端から底部１６までの長さγが６ｍｍ以下と短いので、この脱落防止用クリップ１の材料使用量を少なくすることができるとともに、図１のように脱落防止用クリップ１の屋内に、外壁パネル固定用金具４やシールジョイント６の屋内側に配置される２次防水部材が存在しても、これらとの間での干渉を抑えることができる。更にシールジョイント６はその屋内側に設けられた凸条６３にて脱落防止用クリップ１と嵌合するため、シールジョイント６の目地間のシール機能を果たしているシール部６２に干渉することがなく十分なシール性が発揮でき、脱落防止用クリップ１のシールジョイント６への設置位置と、該外壁パネル固定用金具４等の位置との兼ね合いを考慮する必要がない。したがって、脱落防止用クリップ１は、シールジョイント６の全長にわたって設置することも可能である。
【００３５】
なお、本発明の実施の形態は上述の形態に限ることなく、本発明の思想の範囲を逸脱しない範囲で適宜変更することができることは云うまでもない。
【産業上の利用可能性】
【００３６】
本発明に係る脱落防止用クリップ１、及び外壁目地の防水構造２は、外壁の縦目地に圧入されたシールジョイント６の脱落を防止する脱落防止用クリップ１及びこの脱落防止用クリップ１を用いた外壁目地の防水構造２として、好適に用いることができる。
【符号の説明】
【００３７】
１          脱落防止用クリップ
２          外壁目地の防水構造
６          シールジョイント
１１        挟持部
１２        抜け防止腕部
１２ａ      クビレ
１３        姿勢制御腕部
１３ａ      クビレ
６３        凸条
【図１】
2011174324.tif 000003
【図２】
2011174324.tif 000004
【図３】
2011174324.tif 000005
【図４】
2011174324.tif 000006
【図５】
2011174324.tif 000007
【図６】
2011174324.tif 000008
【図７】
2011174324.tif 000009
【図８】
2011174324.tif 000010